(57)【要約】      （修正有）【課題】  ラッチを必要とせずにジャックカバーを閉めた状態に保持できて、コストダウンを図れ、ジャックカバーを閉めた後に開け易い電気機器の回転カバー構造を提供する。【解決手段】  ジャックカバー１に先端に係止爪２ａを有するリブが設けられ、フロントパネル３に、ジャックカバー１が閉められたときにジャックカバー１のリブ２が係入されリブ２より若干幅小の横向きの係入孔４が形成されるとともに、この係入孔４の両側近傍箇所に、係入孔４にリブ２が係入されたときに係入孔４の縁部４ａ、の開きを吸収する横孔５が形成されており、リブ２を係入孔４に強制的に嵌め入れたときに係入孔４の縁部４ａ、が横孔５側に向けて開いてこの縁部４ａ、４ｂの復帰力によりリブ２が開かないようにし、リブ２の係止爪２ａが係入孔４の縁部４ｃに係止されるようにした。【選択図】  図１
2006019618.tif 000002
【特許請求の範囲】
【請求項１】
フロントパネルにジャックカバーを開閉可能に取り付けるようにした電気機器の回転カバー構造において、前記ジャックカバーに先端に係止爪を有するリブが設けられ、前記フロントパネルに、前記ジャックカバーが閉められたときにジャックカバーのリブが係入され前記リブより若干幅小の横向きの係入孔が形成されるとともに、この係入孔の両側近傍箇所に、前記係入孔に前記リブが係入されたときに係入孔の縁部の開きを吸収する横孔が形成されており、前記リブを前記係入孔に強制的に嵌め入れたときに前記係入孔の縁部が前記横孔側に向けて開いてこの縁部の復帰力により前記リブが開かないようにし、前記リブの係止爪が前記係入孔の縁部に係止されるように構成したことを特徴とする電気機器の回転カバー構造。
【請求項２】
フロントパネルにジャックカバーを開閉可能に取り付けるようにした電気機器の回転カバー構造において、前記ジャックカバーにリブが設けられ、前記フロントパネルに、前記ジャックカバーが閉められたときにジャックカバーのリブが係入され前記リブより若干幅小の横向きあるいは縦向きの係入孔が形成されるとともに、この係入孔の両側近傍箇所に、前記係入孔に前記リブが係入されたときに係入孔の縁部の開きを吸収する横孔又は縦孔が形成されており、前記リブを前記係入孔に強制的に嵌め入れたときに前記係入孔の縁部が前記横孔又は縦孔側に開いてこの縁部の復帰力により前記リブが開かないように構成したことを特徴とする電気機器の回転カバー構造。  
【請求項３】
前記リブの先端の両端にテーパー面が形成されている請求項２に記載の電気機器の回転カバー構造。
【発明の詳細な説明】
【技術分野】
【０００１】
本発明は、フロントパネルにジャックカバーを開閉可能に取り付けるようにした電気機器の回転カバー構造に関するものである。
【背景技術】
【０００２】
従来、この種の回転カバー構造は、図３（ａ）（ｂ）に示すように、フロントパネル１０１側にラッチ１０２を取り付け、ジャックカバー１０３を閉めたときに、このラッチ１０２にジャックカバー１０３側の爪付きリブ１０４を係止するようにしていた。ところが、これによれば、ラッチ１０２を必要としていたために部品点数が多くなるという問題があった。また、ラッチ１０２にジャックカバーの爪付きリブ１０４が係止されるので、ジャックカバー１０３を開け難いという問題があった。  
【０００３】
第１の従来技術を図４（ａ）（ｂ）（ｃ）に示す。これは、図４（ａ）（ｂ）（ｃ）に示すように、キャビネット２０３は、ドア２０１と、ドア２０１が取り付けられるパネル２０２を具え、ドア２０１の両端部から第１、第２軸体２０４、２４０を突出し、パネル２０２には軸体２０４、２４０が回動自在に嵌まる嵌合孔２２０、２２０が開設されている。フロントパネル２０２には、ドア２０１に押されて弾性変形し、ドア２０１に係合する爪片２５０が設けられている。第１軸体２０４と、第１軸体２０４が嵌まる嵌合孔２２０の周縁との間には、ドア２０１が爪片２５０の弾性力に押された方向に第１軸体２０４が距離ｈだけ移動できる隙間Ｈが形成され、この距離ｈは爪片２５０の係り代よりも小さく設けられている。第２軸体２４０は、隙間Ｈよりも小さな余裕をもって嵌合孔２２０に嵌まっている。（例えば、特許文献１参照）。
【０００４】
ところが、これにおいては、軸部分の構造が複雑であり、また、爪片２５０と突起２１１とが外れやすくて保持力が弱いという問題があった。
【０００５】
第２の従来技術を図５（ａ）（ｂ）に示す。これは、図５（ａ）（ｂ）に示すように、フロント扉３０４にストラッカー３０６が成形され、フロントパネル３０１に取り付けられている浮出しラッチ３０７にストラッカー３０６が浮出ラッチ３０７に係止されることによってフロント扉３０４が閉めた状態に保持されている。（例えば、特許文献２参照）。
【０００６】
ところが、これは、浮出しラッチ３０７を用いていて、部品点数が多くなるという問題があった。
【特許文献１】特開２００３−１６３４６９号公報
【特許文献２】特開平５−３３２０６１号公報
【発明の開示】
【発明が解決しようとする課題】
【０００７】
本発明は、上記従来の問題に鑑みてなされたものであって、ラッチを必要とせずにジャックカバーを閉めた状態に保持することができて、コストダウンを図ることができ、しかも、ジャックカバーを閉めた後に開け易い電気機器の回転カバー構造を提供することを目的としている。
【課題を解決するための手段】
【０００８】
本発明は、上記課題を解決するために提案されたものであって、請求項１に記載の発明は、フロントパネルにジャックカバーを開閉可能に取り付けるようにした電気機器の回転カバー構造において、前記ジャックカバーに先端に係止爪を有するリブが設けられ、前記フロントパネルに、前記ジャックカバーが閉められたときにジャックカバーのリブが係入され前記リブより若干幅小の横向きの係入孔が形成されるとともに、この係入孔の両側近傍箇所に、前記係入孔に前記リブが係入されたときに係入孔の縁部の開きを吸収する横孔が形成されており、前記リブを前記係入孔に強制的に嵌め入れたときに前記係入孔の縁部が前記横孔側に向けて開いてこの縁部の復帰力により前記リブが開かないようにし、前記リブの係止爪が前記係入孔の縁部に係止されるように構成したことを特徴としている。
【０００９】
請求項２に記載の発明は、フロントパネルにジャックカバーを開閉可能に取り付けるようにした電気機器の回転カバー構造において、前記ジャックカバーにリブが設けられ、前記フロントパネルに、前記ジャックカバーが閉められたときにジャックカバーのリブが係入され前記リブより若干幅小の横向きあるいは縦向きの係入孔が形成されるとともに、この係入孔の両側近傍箇所に、前記係入孔に前記リブが係入されたときに係入孔の縁部の開きを吸収する横孔又は縦孔が形成されており、前記リブを前記係入孔に強制的に嵌め入れたときに前記係入孔の縁部が前記横孔又は縦孔側に開いてこの縁部の復帰力により前記リブが開かないように構成したことを特徴としている。  
【００１０】
請求項３に記載の発明は、前記リブの先端の両端にテーパー面が形成されている。
【発明の効果】
【００１１】
請求項１に記載の発明によれば、ジャックカバーのリブをフロントパネルの係入孔に強制的に嵌め入れて係入孔が開いた状態から復帰力によりリブが外れないようにしたので、ラッチを必要とせずにジャックカバーを閉めた状態に保持することができてコストダウンを図ることができる。更にリブの係止爪が係入孔の縁部に係止されるので、不用意にジャックカバーが外れることを防ぐことができる。しかも、ジャックカバーを閉めた後に開け易い。
【００１２】
請求項２に記載の発明によれば、ジャックカバーのリブをフロントパネルの係入孔に強制的に嵌め入れて係入孔が開いた状態から復帰力によりリブが外れないようにしたので、ラッチを必要とせずにジャックカバーを閉めた状態に保持することができて、コストダウンを図ることができ、しかも、ジャックカバーを閉めた後に開け易い。
【００１３】
請求項３に記載の発明によれば、リブの先端の両側にテーパー面が形成されているので、リブを係入孔に係入し易い。
【発明を実施するための最良の形態】
【００１４】
以下、本発明に係る電気機器の回転カバー構造の実施の形態について、図を参照しつつ説明する。
【００１５】
図１は本発明の実施形態の電気機器の回転カバー構造を示し、（ａ）はその裏面図、（ｂ）はその係入孔と横孔を示す拡大裏面図、（ｃ）はその縦断面図である。
【００１６】
本実施形態の電気機器の回転カバー構造は、図１（ａ）（ｂ）（ｃ）に示すように、ジャックカバー１に先端に係止爪２ａを有するリブ２が設けられ、フロントパネル３にジャックカバー１が閉められたときにジャックカバー１のリブ２が係入されリブ２より若干幅小の横向きの係入孔４が形成されるとともに、この係入孔４の両側近傍箇所に、係入孔４リブ２が係入されたときに係入孔４の縁部４ａ、４ｂの開きを吸収する横孔５、５が形成されている。
【００１７】
リブ２を係入孔４に強制的に嵌め入れたときに係入孔４の縁部４ａ、４ｂが横孔５、５側に向けて開いてこの縁部４ａ、４ｂの復帰力によりリブ２が開かないようにした。また、リブ２の係止爪２ａが係入孔４の縁部４ｃに係止されるようにしている。
【００１８】
従って、本実施形態によれば、ラッチを必要とせずにジャックカバー１を閉めた状態に保持することができてコストダウンを図ることができる。更にリブ２の係止爪２ａが係入孔４の縁部４ａ、４ｂに係止されるので、不用意にジャックカバー１が外れることを防ぐことができる。しかも、ジャックカバー１を閉めた後に開け易い。
【００１９】
図２（ａ）は別例の係入孔と縦孔を示す拡大裏面図、（ｂ）はジャックカバーのリブの別例を示す拡大側面図である。
【００２０】
図２（ａ）に示すように、係入孔４Ａを縦向きに設け、その外側近傍箇所に縦孔６、６を設けるようにしてもよい。この縦向きの係入孔４Ａに縦向きのリブ２Ａを係入することによって、係入孔４Ａの縁部４ｄ、４ｅが縦孔６、６側に向けて開いてこの縁部４ｄ、４ｅの復帰力によりリブ２Ａが開かないようにしている。
【００２１】
従って、ラッチを必要とせずにジャックカバー１を閉めた状態に保持することができてコストダウンを図ることができる。
【００２２】
また、図２（ｂ）に示すように、リブ２Ａの先端の両端にテーパー面２ｂ、２ｂを形成することによって、リブ２Ａを係入孔４Ａに係入し易い利点がある。尚、このテーパー面は前記した横向きの係入孔４に係入されるリブ２に設けてもよいことは勿論である。
【図面の簡単な説明】
【００２３】
【図１】本発明の実施形態の電気機器の回転カバー構造を示し、（ａ）はその裏面図、（ｂ）はその係入孔と横孔を示す拡大裏面図、（ｃ）はその縦断面図である。
【図２】（ａ）は別例の係入孔と縦孔を示す拡大裏面図、（ｂ）はジャックカバーのリブの別例を示す拡大側面図である。
【図３】従来の電気機器の回転カバー構造を示し、（ａ）はその裏面図、（ｂ）はその縦断面図である。
【図４】従来の電気機器のキャビネットを示し、（ａ）はその斜視図、（ｂ）はドアが開いた状態の断面図、（ｃ）はそのドアが閉まった状態の断面図である。
【図５】従来のＡＶ機器の回転扉構造を示し、（ａ）はその断面図、（ｂ）はそのＶＴＲの装置を示す斜視図である。
【符号の説明】
【００２４】
１          ジャックカバー
２          横向きのリブ
２ａ        係止爪
２Ａ        縦向きのリブ
２ｂ        テーパー面
３          フロントパネル
４          横向きの係入孔
４ａ        縁部
４ｂ        縁部
４ｃ        縁部
４Ａ        縦向きの係入孔
４ｄ        縁部
４ｅ        縁部
５          横孔
６          縦孔
【図１】
2006019618.tif 000003
【図２】
2006019618.tif 000004
【図３】
2006019618.tif 000005
【図４】
2006019618.tif 000006
【図５】
2006019618.tif 000007